(57)【特許請求の範囲】
【請求項１】
透明基材上に多層膜を備えた透過型の分光フィルタの作成方法であって、
該多層膜の分光透過率Ｔ（λ）を、分割された波長幅と各波長幅に対応する透過率からなるパラメータ、又は、任意波長での透過率を関数モデルで表したときの関数パラメータｐ1,ｐ2,・・・,ｐnを用いて、
Ｔ（λ）＝Ｔ（ｐ1,ｐ2,・・・,ｐn）
と記述し、
指定された複数色からなる対象色群、のうちの２色を組み合わせた各組み合わせにおける、組み合わされた２色間の、前記多層膜を介した、受光体の感度波長帯域における感度特性差（すなわち、色差）、
からなる感度特性差パターンが、所望の感度特性差パターンになるように、前記パラメータｐ1,ｐ2,・・・,ｐnを最適化し、
該最適化されたパラメータｐ1,ｐ2,・・・,ｐnを用いて記述される最適Ｔ（λ）に基づいて、前記透過型の分光フィルタを作成することを特徴とする機能性分光フィルタの作成方法。
【請求項２】
被観察物における前記対象色群の色数がＮのとき、該対象色群の各色の分光反射率Ｒi（λ）（ｉ＝１〜Ｎ）と、照明光の分光分布Ｅ（λ）とを設定した後、下記性能評価値Ａが最大になるまで、下記（０）、（Ｉ）、（II）、（III）を、この順に繰り返し、前記性能評価値Ａが最大になったときのＴ（λ）を前記最適Ｔ（λ）とすることを特徴とする請求項１記載の機能性分光フィルタの作成方法。
(０）前記分光透過率Ｔ（λ）を、１回目は前記各パラメータに初期値を設定することにより初期設定し、２回目以降は最適化法に基づいて前記各パラメータを再設定することにより設定する。
(Ｉ)前記対象色群の各色の、前記分光透過率Ｔ（λ）を有する機能性分光フィルタを通して観察したときの感度特性（すなわち、色感覚）
Ｃi＝ｆ1（Ｔ（λ）Ｒi（λ）Ｅ（λ））
を計算する。
(II)前記感度特性から、前記対象色群のうちの２色を組み合わせた各組み合わせにおける、組み合わされた２色間の感度特性差
ΔＥi,j＝ｆ2（Ｃi，Ｃj）
を計算する。
(III）前記分光透過率Ｔ（λ）のときの性能評価値Ａを、Ａが最大のときにＴ（λ）が最適Ｔ（λ）となるように重み係数Ｗi,jが設定された下記数式に基づいて計算する。
【数１】
0005410088.tif 000034
【請求項３】
前記感度特性差の計算基準をＣＩＥ９４とするとともに、前記最適化法をシミュレーティッドアニ−リング法とすることを特徴とする請求項２記載の機能性分光フィルタの作成方法。
【請求項４】
前記各組み合わせのうちの、特定の前記組み合わせにおいては、前記分光フィルタを介した場合に前記分光フィルタを介さない場合よりも色差が小さくなるとともに、他の特定の前記組み合わせにおいては、前記分光フィルタを介した場合に前記分光フィルタを介さない場合よりも色差が大きくなるように、前記最適Ｔ（λ）を設定したことを特徴とする請求項１、２又は３記載の機能性分光フィルタの作成方法。
【請求項５】
前記各組み合わせに対する色覚異常者の感じる色差が、前記分光フィルタを介した場合に前記分光フィルタを介さない場合よりも大きくなるように、前記最適Ｔ（λ）を設定して、
色覚異常者が前記対象色群の各色を見分けるときの見分けが容易になる機能性分光フィルタを作成することを特徴とする請求項１、２又は３記載の機能性分光フィルタの作成方法。
【請求項６】
前記各組み合わせに対する色覚異常者の感じる色差を用いて、色覚正常者が前記対象色群の各色を見分けるときの難易が、色覚異常者が前記対象色群の各色を見分けるときの難易に近づくように、前記最適Ｔ（λ）を設定して、
色覚正常者が前記対象色群の各色を見分けるときの見分けが困難になる機能性分光フィルタを作成することを特徴とする請求項１、２又は３記載の機能性分光フィルタの作成方法。
【請求項７】
前記対象色群を、被観察物の、化粧品を塗った部分の複数色と、化粧品を塗らない部分の複数色とからなるものとし、
化粧品を塗った部分の色同士、及び、化粧品を塗らない部分の色同士では、それぞれ、前記分光フィルタを介した場合に前記分光フィルタを介さない場合よりも色差が小さくなり、化粧品を塗った部分の色と化粧品を塗らない部分の色とでは、前記分光フィルタを介した場合に前記分光フィルタを介さない場合よりも色差が大きくなるように、前記最適Ｔ（λ）を設定して、
化粧品の塗りむらの見分けが容易になる機能性分光フィルタを作成することを特徴とする請求項４記載の機能性分光フィルタの作成方法。
【請求項８】
不透明基材（透明基材の裏面側に光遮断層を備えたものを含む。）の表面に、又は、透明基材と該透明基材の裏面側に設けられた光遮断層との間に、多層膜を備えた反射型（すなわち、鏡型）の分光フィルタの作成方法であって、
該多層膜の分光反射率Ｍ（λ）を、分割された波長幅と各波長幅に対応する反射率からなるパラメータ、又は、任意波長での反射率を関数モデルで表したときの関数パラメータｐ1,ｐ2,・・・,ｐnを用いて、
Ｍ（λ）＝Ｍ（ｐ1,ｐ2,・・・,ｐn）
と記述し、
指定された複数色からなる対象色群、のうちの２色を組み合わせた各組み合わせにおける、組み合わされた２色間の、前記多層膜の反射を介した、受光体の感度波長帯域における感度特性差（すなわち、色差）、
からなる感度特性差パターンが、所望の感度特性差パターンになるように、前記パラメータｐ1,ｐ2,・・・,ｐnを最適化し、
該最適化されたパラメータｐ1,ｐ2,・・・,ｐnを用いて記述される最適Ｍ（λ）に基づいて、前記反射型の分光フィルタを作成することを特徴とする機能性分光フィルタの作成方法。
【請求項９】
被観察物における前記対象色群の色数がＮであるとき、該対象色群の分光反射率Ｒi（λ）（ｉ＝１〜Ｎ）と、照明光の分光分布Ｅ（λ）とを設定した後、下記性能評価値Ａが最大になるまで、下記（０）、（Ｉ）、（II）、（III）を、この順に繰り返し、前記性能評価値Ａが最大になったときのＭ（λ）を前記最適Ｍ（λ）とすることを特徴とする請求項８記載の機能性分光フィルタの作成方法。
(０）前記分光反射率Ｍ（λ）を、１回目は前記各パラメータに初期値を設定することにより初期設定し、２回目以降は最適化法に基づいて前記各パラメータを再設定することにより設定する。
(Ｉ)前記対象色群の各色の、前記分光反射率Ｍ（λ）を有する機能性分光フィルタの反射を介して観察したときの感度特性（すなわち、色感覚）
Ｃi＝ｆ1（Ｍ（λ）Ｒi（λ）Ｅ（λ））
を計算する。
(II)前記感度特性から、前記対象色群のうちの２色を組み合わせた各組み合わせにおける、組み合わされた２色間の感度特性差
ΔＥi,j＝ｆ2（Ｃi，Ｃj）
を計算する。
(III）前記分光反射率Ｍ（λ）のときの性能評価値Ａを、Ａが最大のときにＭ（λ）が最適Ｍ（λ）となるように重み係数Ｗi,jが設定された下記数式に基づいて計算する。
【数２】
0005410088.tif 000035
【請求項１０】
前記色差の計算基準をＣＩＥ９４とするとともに、前記最適化法をシミュレーティッドアニ−リング法とすることを特徴とする請求項９記載の機能性分光フィルタの作成方法。
【請求項１１】
前記各組み合わせのうちの、特定の前記組み合わせにおいては、前記分光フィルタの反射を介した場合に前記分光フィルタの反射を介さない場合よりも色差が小さくなるとともに、他の特定の前記組み合わせにおいては、前記分光フィルタの反射を介した場合に前記分光フィルタの反射を介さない場合よりも色差が大きくなるように、前記最適Ｍ（λ）を設定することを特徴とする請求項８、９又は１０記載の機能性分光フィルタの作成方法。
【請求項１２】
前記分光フィルタの反射を介した場合に前記分光フィルタの反射を介さない場合よりも色差が大きくなるように、前記最適Ｍ（λ）を設定して、
前記対象色群の各色の見分けが容易になる機能性分光フィルタを作成することを特徴とする請求項８、９又は１０記載の機能性分光フィルタの作成方法。
【請求項１３】
前記対象色群を、被観察物の、化粧品を塗った部分の複数色と、化粧品を塗らない部分の複数色とからなるものとし、
化粧品を塗った部分の色同士、及び、化粧品を塗らない部分の色同士では、それぞれ、前記分光フィルタの反射を介した場合に前記分光フィルタの反射を介さない場合よりも色差が小さくなり、化粧品を塗った部分の色と化粧品を塗らない部分の色とでは、前記分光フィルタの反射を介した場合に前記分光フィルタの反射を介さない場合よりも色差が大きくなるように、前記最適Ｍ（λ）を設定して、
化粧品の塗りむらの見分けが容易になる機能性分光フィルタを作成することを特徴とする請求項１１記載の機能性分光フィルタの作成方法。
【発明の詳細な説明】
【技術分野】
【０００１】
本発明は、機能性分光フィルタの作成方法に関する。特に、本発明は、色覚異常者の色覚補正のため、逆に、色覚正常者に色覚異常者の不便さを体験させて色覚異常者に対する理解を深めるためのツール（道具）として好適な透過型の機能性分光フィルタの作成方法に係る発明である。【０００２】
ここでは、透過型の機能性分光フィルタの場合を主として例に採り説明するが、反射型（鏡型）の機能性分光フィルタの場合でも同様である。【０００３】
ここでいうツールとは、例えば、カメラ、フォトダイオード、モノクロカメラ等の撮像装置の前面或いは内部に配置するフィルタ、テレビ、モニター、各種光源等の光学系の前面或いは内部に配置するフィルタ、及び、眼鏡レンズ、コンタクトレンズ、眼内レンズ等、特に限定されず、例えば、単にガラス板或いはプラスチック板等のみの場合も考えられる。
【背景技術】
【０００４】
色覚異常者は、日本人男性の２０人に１人（約５％）、白人男性の１２人に１人（約８％）といわれている。色覚異常者は、色覚正常者に存在する３つの錐体視細胞のいずれかが異常であるか欠如しているため、色覚異常となる。赤錐体視細胞に障害のある場合を第１色覚異常、緑錐体視細胞に障害のある場合を第２色覚異常、青錐体視細胞に障害のある場合を第３色覚異常という。【０００５】
これらのうち第３色覚異常は、数百万人に一人と頻度が低いため、通常、色覚異常とは、第１・第２色覚異常を意味する。【０００６】
第１色覚異常者及び第２色覚異常者は、赤錐体と緑錐体との感度曲線が似ているため、色の見えや、弁別が困難となる色の組み合わせ（混合色）がよく似ている。第１色覚異常者及び第２色覚異常者は、赤と緑の組み合わせに対し、それらの違いを感ずることが困難とされている。【０００７】
今日では、身の回りにある種々の印刷物・掲示物・電子画像等において、情報の強調などを目的として、配色に様々な工夫がなされている。しかし、色覚正常者にとっては、その配色は色の区別が容易であるため情報認識が容易であっても、色覚異常者にとっては、その配色は色の区別が困難であるため、情報の認識が困難であり、情報認識のバリア（障害）となることが多い。【０００８】
この問題を解決するために、特許文献１・２・３では、色覚異常補正（矯正）眼鏡や色覚改善・変更手段等が提案されている。【０００９】
これらの眼鏡や手段等の方法は、色覚異常者が色の差を感じにくかった特定の色の組み合わせに対し、透過色を補正することによって、それらの区別を改善するものである。【００１０】
そして、いずれの方法も、三種類の錐体視細胞の最も感度の高い波長帯の透過率のみを制御するものであり、可視光線域の全ての波長帯に対して制御するものではない。【００１１】
このため、色覚異常者が識別し難いとされていた色の組み合わせに対しては、一定の効果があるが、透過波長帯の制御が不完全であるため、別の色の組み合わせに対しては効果を得難くなることがある。【００１２】
また、これらの方法では、透過光に色がついてしまい、例えば、全体的に赤みがかって見えてしまうことがある。この結果、日常生活上、違和感を覚え、疲労を感じることが多くなる。【００１３】
そして昨今、世界的な規模でバリアフリーデザイン更にはユニバーサルデザインの要請が強くなりつつある。例えば、公共施設において、エレベータ・階段昇降機の設置、ノンステップバス、車椅子用のトイレ、障害者用車・電話ボックス等、種々の取り組みがなされている。【００１４】
すなわち、ユニバーサルデザインの思想は、障害者（異常者）の障害を治療ないし改善するのではなく、正常者・障害者ともに区別なく生活できることを施設・建造物の設計時点から考慮することを目的とする。【００１５】
このため、どのような状況が障害者にとって不便と感じるかを知ることが必要となる。【００１６】
しかし、色覚異常者に対するユニバーサルデザイン（バリアフリー）対応は、他の障害者に対する対応に比して大幅に遅れているのが現状である。この大きな原因は、色覚異常者が感じている不便さを、色覚正常者が直感的に理解し難いことにあると言われている。【００１７】
こうした問題に対し、色覚異常者に配慮した取り組みとして、近年、一部の自治体等で色覚異常者の感ずる色を色覚シミュレーションソフトウェアによって再現する方法が用いられている。すなわち、色覚正常者が色覚異常者の見ている色彩世界を擬似的に体験し、それを通じて、防災ハザードマップなどの公共印刷物等の配色設計に応用しようとするものである（特許文献４参照）。【００１８】
こうしたソフトウェアによる画像処理方法は、パーソナルコンピュータ等に画像データを取り込み、専用の画像処理プログラムを使って色覚異常者が識別しにくい色の組み合わせを走査検出する必要がある。したがって、パーソナルコンピュータ等のデータ処理装置によって作成された画像、又は、必然的にデータ処理装置に取り込まれるデータ等に対しては有効である。【００１９】
しかし、かかるソフトウェアによる画像処理方法は、既に設置されている掲示物・設備・公共表示物や、工業製品等に対しては、一旦、画像データをデータ処理装置に取り込んで走査検出する必要があるため、作業工程が多く、日常的ワークフローへ取り込むことが困難となっている。【００２０】
また、かかるソフトウェアによる画像処理方法は、結局は、コンピュータディスプレイ上の画像を観察する方法に依らざるを得ないため、視野全体が色覚異常者の感ずる色彩世界とならず、不自由さを実感するには不十分といわざるを得ない。さらに大きな問題としては、予め対象を定め、その写真を撮影するなどの対応が必要となるため、リアルタイム性に欠け、日常生活における不自由を体感するには程遠いという問題がある。
【特許文献１】特開平６−１８８１９号公報
【特許文献２】特開平９−３１３５２１号公報
【特許文献３】特表平９−５０３４０２号公報
【特許文献４】特開２００５−１６７５４３号公報
【発明の開示】
【発明が解決しようとする課題】
【００２１】
本発明は、フィルタを介して受光体の色覚特性を所望パターンに変化させることができ、上記種々の問題点を解決でき、広範な用途に適用できる新規な構成の機能性分光フィルタの作成方法を提供することを目的とする。【００２２】
本発明の他の目的は、上記機能性分光フィルタを適用した、簡便で専門的知識を要せず、直感的・体感的に色覚異常者の色識別の不便さを理解でき、しかも実際的な業務におけるワークフローに取り込むことのできる各種ツールを提供することにある。
【課題を解決するための手段】
【００２３】
本発明者らは、上記の問題点を解決するために、鋭意開発に努力をした結果、受光体の感度波長帯域(眼であれば可視光領域、受光器等であればその感度範囲)の分光透過率を制御すればよいことに着眼して、下記構成の機能性分光フィルタの作成方法に想到した。【００２４】
透明基材上に多層膜を備えた透過型の分光フィルタの作成方法であって、
該多層膜の分光透過率Ｔ（λ）を、分割された波長幅と各波長幅に対応する透過率からなるパラメータ、又は、任意波長での透過率を関数モデルで表したときの関数パラメータｐ1,ｐ2,・・・,ｐnを用いて、
Ｔ（λ）＝Ｔ（ｐ1,ｐ2,・・・,ｐn）
と記述し、
指定された複数色からなる対象色群、のうちの２色を組み合わせた各組み合わせにおける、組み合わされた２色間の、前記多層膜を介した、受光体の感度波長帯域における感度特性差（すなわち、色差）、
からなる感度特性差パターンが、所望の感度特性差パターンになるように、前記パラメータｐ1,ｐ2,・・・,ｐnを最適化し、
該最適化されたパラメータｐ1,ｐ2,・・・,ｐnを用いて記述される最適Ｔ（λ）に基づいて、前記透過型の分光フィルタを作成することを特徴とする。【００２５】
多層透過膜の分光透過率Ｔ（λ）を少数（通常、２０以下）のパラメータで記述することにより、所望の感度特性パターンを発揮する多層透過膜の分光透過率Ｔ（λ）（最適Ｔ（λ））の設計が容易となる。【００２６】
上記最適Ｔ（λ）は、下記のようなアルゴリズムに従って、求めることが望ましい。【００２７】
被観察物における前記対象色群の色数がＮのとき、該対象色群の各色の分光反射率Ｒi（λ）（ｉ＝１〜Ｎ）と、照明光の分光分布Ｅ（λ）とを設定した後、下記性能評価値Ａが最大になるまで、下記（０）、（Ｉ）、（II）、（III）を、この順に繰り返し、前記性能評価値Ａが最大になったときのＴ（λ）を前記最適Ｔ（λ）とする。【００２８】
(０）前記分光透過率Ｔ（λ）を、１回目は前記各パラメータに初期値を設定することにより初期設定し、２回目以降は最適化法に基づいて前記各パラメータを再設定することにより設定する。【００２９】
(Ｉ)前記対象色群の各色の、前記分光透過率Ｔ（λ）を有する機能性分光フィルタを通して観察したときの感度特性（すなわち、色感覚）
Ｃi＝ｆ1（Ｔ（λ）Ｒi（λ）Ｅ（λ））
を計算する。【００３０】
(II)前記感度特性から、前記対象色群のうちの２色を組み合わせた各組み合わせにおける、組み合わされた２色間の感度特性差
ΔＥi,j＝ｆ2（Ｃi，Ｃj）
を計算する。【００３１】
(III）前記分光透過率Ｔ（λ）のときの性能評価値Ａを、Ａが最大のときにＴ（λ）が最適Ｔ（λ）となるように重み係数Ｗｉ,ｊが設定された下記数式に基づいて計算する。【００３２】
【数１】
0005410088.tif 000002
【００３３】
そして、上記において、色差の計算に色差式ＣＩＥ９４を用いるとともに、最適化法としてシミュレーティドアニ−リング法を用いることが望ましい。【００３４】
所望の感度特性パターンとしては、例えば、対象色群（すなわち、指定された複数色からなる色群）のうちの２色を組み合わせた組み合わせにおける色差（すなわち、組み合わされた２色間の色差）が、特定の組み合わせにおいては小さくなるとともに、他の特定の組み合わせにおいては大きくなるようなものがある。【００３５】
かかるパターンとして、より具体的には、対象色群を化粧品を塗った部分の複数色と塗らない部分の複数色からなるものとして、化粧品を塗った部分の色同士、及び、化粧品を塗らない部分の色同士では、それぞれ、色差が小さくなり、化粧品を塗った部分の色と化粧品を塗らない部分の色とでは、色差が大きくなるようなものがあり、このパターンによれば、化粧品の塗りむらの見分けが容易になる。【００３６】
また、所望の感度特性パターンとしては、対象色群のうちの２色を組み合わせた各組み合わせに対する色覚異常者の感じる色差が、大きくなるようにするものもあり、このパターンによれば、色覚異常者が対象色群の各色を見分けるときの見分けが容易になる。【００３７】
また、対象色群のうちの２色を組み合わせた各組み合わせに対する色覚異常者の感じる色差を、所望の感度特性パターンとして用いることにより、色覚正常者の対象色群の各色に対する見分けの難易が、色覚異常者のそれに近づくようにして、色覚正常者の対象色群の各色の見分けが困難となるようにすることもできる。【００３８】
上記透過型の機能性分光フィルタの作成方法は、下記構成の反射型（鏡型）の分光フィルタの作成方法にも適用することができる。【００３９】
不透明基材（透明基材の裏面側に光遮断層を備えたものを含む。）の表面に、又は、透明基材と該透明基材の裏面側に設けられた光遮断層との間に、多層膜を備えた反射型（すなわち、鏡型）の分光フィルタの作成方法であって、
該多層膜の分光反射率Ｍ（λ）を、分割された波長幅と各波長幅に対応する反射率からなるパラメータ、又は、任意波長での反射率を関数モデルで表したときの関数パラメータｐ1,ｐ2,・・・,ｐnを用いて、
Ｍ（λ）＝Ｍ（ｐ1,ｐ2,・・・,ｐn）
と記述し、
指定された複数色からなる対象色群、のうちの２色を組み合わせた各組み合わせにおける、組み合わされた２色間の、前記多層膜の反射を介した、受光体の感度波長帯域における感度特性差（すなわち、色差）、
からなる感度特性差パターンが、所望の感度特性差パターンになるように、前記パラメータｐ1,ｐ2,・・・,ｐnを最適化し、
該最適化されたパラメータｐ1,ｐ2,・・・,ｐnを用いて記述される最適Ｍ（λ）に基づいて、前記反射型の分光フィルタを作成することを特徴とする。【００４０】
上記最適Ｍ（λ）は、下記のようなアルゴリズムに従って、求めることが望ましい。【００４１】
被観察物における前記対象色群の色数がＮであるとき、該対象色群の分光反射率Ｒi（λ）（ｉ＝１〜Ｎ）と、照明光の分光分布Ｅ（λ）とを設定した後、下記性能評価値Ａが最大になるまで、下記（０）、（Ｉ）、（II）、（III）を、この順に繰り返し、前記性能評価値Ａが最大になったときのＭ（λ）を前記最適Ｍ（λ）とする。【００４２】
(０）前記分光反射率Ｍ（λ）を、１回目は前記各パラメータに初期値を設定することにより初期設定し、２回目以降は最適化法に基づいて前記各パラメータを再設定することにより設定する。【００４３】
(Ｉ)前記対象色群の各色の、前記分光反射率Ｍ（λ）を有する機能性分光フィルタの反射を介して観察したときの感度特性（すなわち、色感覚）
Ｃi＝ｆ1（Ｍ（λ）Ｒi（λ）Ｅ（λ））
を計算する。【００４４】
(II)前記感度特性から、前記対象色群のうちの２色を組み合わせた各組み合わせにおける、組み合わされた２色間の感度特性差
ΔＥi,j＝ｆ2（Ｃi，Ｃj）
を計算する。【００４５】
(III）前記分光反射率Ｍ（λ）のときの性能評価値Ａを、Ａが最大のときにＭ（λ）が最適Ｍ（λ）となるように重み係数Ｗｉ,ｊが設定された下記数式に基づいて計算する。【００４６】
【数２】
0005410088.tif 000003
【００４７】
上記方法で作成した透過型及び反射型の機能性分光フィルタは加工して、１）眼鏡又はコンタクトレンズ又は眼内レンズとして具現化させて眼用光学製品としたり（但し、透過型のみ）、２）カメラ、フォトダイオード等の撮像装置の受光体部に組み込んで光学撮影装置としたり、さらには、３）ハロゲンランプ、蛍光灯、標準光源等の発光部に組み込んで光源装置としたりすることができる。当然、これらを光学撮影装置と光源装置とを適宜組み合わせることも可能である。
【図面の簡単な説明】
【００４８】
【図１】本発明における透過型の機能性分光フィルタの分光透過率を求めるためのアルゴリズムを示すフローシートである。
【図２】実施例１で用いた分光フィルタのモデル図である。
【図３】実施例１において最適化により得られた分光透過率（実線）と膜設計シミュレーションにより得られた分光透過率（点線）を示すグラフ図である。
【図４】Ｄ１５色票の２色の組み合わせに対する色差を擬似表示したものである。
【図５】パネルＤ１５テストのシミュレーション結果図である。
【図６】実施例２において最適化により得られた分光透過率（実線）と膜生成シミュレーションにより得られた分光透過率（点線）を示すグラフである。
【図７】実施例３において最適化により得られた分光透過率（実線）と膜生成シミュレーションにより得られた分光透過率（点線）を示すグラフである。
【図８】実施例４において最適化により得られた分光透過率（実線）と膜生成シミュレーションにより得られた分光透過率（点線）を示すグラフである。
【図９】本発明における反射型の機能性分光フィルタの分光反射率を求めるためのアルゴリズムを示すフローシートである。
【図１０】反射型の分光フィルタの各例を示すモデル断面図である。
【図１１】実施例５において最適化により得られた分光反射率（実線）と膜生成シミュレーションにより得られた分光反射率（点線）を示すグラフである。
【符号の説明】
【００４９】
１０、１０Ａ    不透明基材
１２    多層膜
１４    ガラス基材
１６    光遮断膜（光遮断層）
【発明を実施するための最良の形態】
【００５０】
以下、本発明の機能性分光フィルタ（以下、単に「分光フィルタ」という。）の作成方法に係る実施形態について説明する。【００５１】
本発明に係る透過型及び反射型の機能性分光フィルタは、各種ツールとして、使用可能である。【００５２】
ここでツールとは、例えば、カメラ、フォトダイオード、モノクロカメラ等の撮像装置の前面若しくは背面や内部の受光部（受光体）に配置する分光フィルタ、又は、テレビ、モニター、各種光源等の光学系の前面若しくは背面や内部の発光部に配置する分光フィルタ、さらには、透過型の分光フィルタの場合は、眼鏡レンズ、コンタクトレンズ、眼内レンズ等の眼用製品など、特に限定されず、例えば、単にガラス板又はプラスチック板等のみの場合も含む。【００５３】
本発明に係る分光フィルタは、透明基材又は不透明基材（透明基材の裏面側に光遮断層を備えたものを含む。）の上面に、若しくは、透明基材と光遮断層との間に、多層膜（多層薄膜）を備えたものを前提とする。【００５４】
ここで、「透明基材」の「透明」とは、本発明の目的を達成できる光透過率を有する状態であればよく、無色透明ばかりでなく、有色透明、さらには、半透明も含む。【００５５】
また、「透明基材」としては、例えば、下記無機ガラス(i)、有機ガラス(ii)を使用できる。【００５６】
(i)ソーダ石灰ガラス、ほうけい酸ガラス、クラウンガラス、フリントガラス、バリウムクラウンガラス、バリウムフリントガラス、ランタンクラウンガラス、ランタンフリントガラス、等。【００５７】
(ii)アクリル系、ポリカーボネート系、ポリスルフォン系、ポリチオウレタン系、ジエチレングリコールビスアリルカーボネート系、ポリエステル系、セルロース系、等。【００５８】
また、不透明基材としては、金属基材、プラスチック基材、セラミック基材、紙基材等、透過光を遮断でき、且つ、多層膜を形成可能な表面を備えるものであれば、特に限定されない。なお、このときの基材色は特に限定されない。多層膜の設計により基材色の色の影響をなくすことができるためである。また、後述の実施例の如く、ガラス基材の裏面を摺りガラス状とするとともに遮光膜を形成したものを不透明基材として該不透明基材の表面に多層膜を形成したり、透明基材の裏面側に遮光膜を設けて、該遮光膜と透明基材の間に、即ち、遮光膜の上に、多層膜を形成したりすることもできる。【００５９】
上記多層膜を形成する薄膜材質の組合せとしては、多層膜とした場合、光学的な透過率又は反射率を低減させたり増大させたりすることができる屈折率を備えたものなら特に限定されず、例えば、下記のような(i)無機酸化物（金属酸化物）、(ii)無機ハロゲン化物（金属ハロゲン化物）、(iii)単体金属、を使用できる。【００６０】
(i)チタン、タンタル、ジルコニウム、ニオブ、アンチモン、イットリウム、インジウム、錫、ランタン、マグネシウム、アルミニウム、ハフニウム、ネオジウム、珪素、亜鉛、鉄、等の酸化物又はそれらを複数含む複合酸化物。【００６１】
(ii)マグネシウム、ナトリウム、ランタン、アルミニウム、リチウム等のハロゲン化物。【００６２】
(iii)珪素、ゲルマニウム、金、銀、銅、ニッケル、白金、鉄等の単体又はそれらを複数含む混合体（合金、焼結体を含む。）。【００６３】
上記多層膜は、汎用の薄膜形成技術、例えば、真空蒸着法、イオンアシスト蒸着法、スパッタリング、イオンプレーティング、等の乾式めっき（PVD)、又は湿式めっき（CVD）により形成できる。【００６４】
そして、上記多層膜の分光透過率Ｔ（λ）を、分割された波長幅と各波長幅に対応する透過率からなるパラメータ、又は、任意波長での透過率を関数モデルで表したときの関数パラメータｐ1,ｐ2,・・・,ｐnを用いて、
Ｔ（λ）＝Ｔ（ｐ1,ｐ2,・・・,ｐn）
と記述し、
指定された複数色からなる対象色群、のうちの２色を組み合わせた各組み合わせにおける、組み合わされた２色間の、前記多層膜を介した、受光体の感度波長帯域における感度特性差（すなわち、色差）、
からなる感度特性差パターンが、所望の感度特性差パターンになるように、前記パラメータｐ1,ｐ2,・・・,ｐnを最適化し、
該最適化されたパラメータｐ1,ｐ2,・・・,ｐnを用いて記述される最適Ｔ（λ）に基づいて、前記透過型の分光フィルタを作成する。【００６５】
ここで、受光体とは、人の眼では、網膜視細胞であり、撮影機器においては光検知部である。【００６６】
また、感度波長帯域とは、人の目では、可視光線波長帯域（可視部）（約３８０〜７８０ｎｍ）であるが、撮影機器等においては、可視部より波長の短い紫外線部（下限：約１ｎｍ）、及び、可視部より波長の長い赤外線部（上限：約１ｍｍ）にも及ぶ。【００６７】
そして、本発明に係る機能性分光フィルタは、ツールを通して（すなわち、多層膜を介して）見ることによって、任意に指定された複数色からなる対象色群のうちの２色を組み合わせた組み合わせについて、各組み合わせにおける色差をあらかじめ公知の色差値に近づけるようにすること（教師データありの場合に相当）、又は、特定の組み合わせにおける色差を、小さくし、若しくは、大きくすること（教師データなしの場合に相当）を特徴とする。【００６８】
つぎに、本発明における最適Ｔ（λ）を求めるアルゴリズム（計算手順）を図１に示すフローシートに従って説明をする。【００６９】
まず、被観察物に照射される照明光、例えば太陽光・蛍光灯光・白熱灯光、の波長λにおける分光分布強度をＥ(λ)とし、被観察物の波長λにおける分光反射率をＲ(λ)とする。そして、被観察部位の色に対応して複数の色を指定する。ここで、指定する色の数Ｎ（Ｎは２以上の自然数）は、２〜２０００の範囲から、設計目的（要求精度）に応じて適宜選定できるが、通常、汎用パソコンで計算可能な範囲で、精度と計算速度を考慮すれば、例えば、１０〜２０が望ましい。【００７０】
よって、被観察物から与えられる反射光の分光分布強度は、Ｒi(λ)Ｅ(λ) で表される。ここで、Ｒi(λ)は、被観察物の波長λにおける色信号（色番号）ｉ（ｉ＝１〜Ｎ；ｉは自然数）の色の部位の分光反射率である。【００７１】
次に、分光フィルタの分光透過率Ｔ(λ)を、透過率及び波長幅からなる少数のパラメータ｛ｐ1,ｐ2,・・・ｐn｝で記述する（図２参照）。【００７２】
ここで、パラメータ数ｎは、１以上（ｎ＝１は透過率のみ）で、設計目的（要求精度）に応じて適宜選定する。なお、パラメータ数の上限は、特に限定されず、例えば、感光波長帯域を可視光部（３８０〜７８０ｎｍ）とし波長幅（階級幅）を１ｎｍとして、階段関数（図２参照）を用いれば、パラメータ数７９９（波長幅：３９９、透過率：４００）のような三桁以上も可能であるが、最適Ｔ（λ）を得るのに膨大な計算量を必要とし、実際的ではない。パラメータ数は、上記と同様、汎用パソコンで計算可能なパラメータ数とし、精度・計算速度を考慮すれば、例えば、ｎ＝４〜２０、さらには、６〜１５が望ましい。【００７３】
すると、被観察物を分光透過率Ｔ(λ) を有する分光フィルタを通して観察したときの色信号（色番号）ｉの部位における色分光分布は、Ｔ(λ)Ｒi(λ)Ｅ(λ)となる。【００７４】
なお、分光透過率Ｔ（λ）は、実施例１では、図２に示すような階段関数を用いて計算したが、実施例２〜４の如くスプライン関数、さらには、シグモイド関数を用いて計算することも可能である。ここで、シグモイド関数とは、連続モデルを示す関数で、例えば、パラメータ数をｐ1,ｐ2,ｐ3の３個とした場合、ｆ（ｘ）＝ｐ3／[１＋exp（ｐ1・ｘ＋ｐ2）]で示される。【００７５】
色番号iの色における色分光分布Ｔ(λ)Ｒi(λ)Ｅ(λ)を、任意の検出器、例えば、眼、カメラ、フォトダイオード等の任意の受光器（受光体）を通したときに得られる感度特性（すなわち、色番号ｉの色に対する感度特性）を、Ｃiとすると、
Ｃi＝ｆ1（Ｔ（λ）Ｒi（λ）Ｅ（λ））
となる。【００７６】
観察者が人（すなわち、受光体が眼）の場合、この感度特性Ｃiを計算するために使用する関数ｆ1を、公知の色を表す関数を用いて表現することができる。例えば、CIE94表色系、JIS Z 8701に定義されているXYZ表色系、JIS Z 8729に定義されているＬ*ａ*ｂ*表色系及びＬ*ｕ*ｖ*表色系、或いは、Yxy、Yu'v'、RGB、CMYK、HVC等で表される表色系を用いることができる。【００７７】
また、カメラ、フォトダイオード等の受光器の場合には、この感度特性Ｃiを計算するために、電流値、温度、光量等の値を使用できるが、これらに限定されずに各種各様のものを使用することができる。【００７８】
色番号ｉ、ｊの色に対する感度特性Ｃi、Ｃjの全ての組み合わせに対して、次式により色差ΔＥi,jを計算する。【００７９】
【数３】
0005410088.tif 000004
【００８０】
観察者が人の場合には、色差を計算するために使用する関数ｆ２を、公知の色差を表す関数を用いて表現することができ、例えば、ＣＩＥ（国際照明委員会）が推奨するＣＩＥ９４色差式（後述の数式８）を精度の見地から使用するが、ＣＩＥ1976色差式（JIS Z 8730）でもよい。【００８１】
また、カメラ、フォトダイオード等の受光器の場合には、出力である電圧や電流の差、差の二乗値、あるいは差の絶対値を用いることができる。【００８２】
以下、教師データ（目標値）ありの場合(i)と教師データなしの場合(ii)に分けて説明する。【００８３】
(i)教師データありの場合
フィルタを通して見たときの色差値ΔＥi,jが、公知の色差値（目標値）ΔＥti,jにどの程度近いかをあらわす評価値ｅi,jを【００８４】
【数４】
0005410088.tif 000005
【００８５】
で表す。【００８６】
関数ｆ3はこれら２つの色差値の差の二乗、差の絶対値、又は、相対誤差値、に負符号を付けたもの、あるいは相関値を用いることができるが、この２つの色差値が似通っていれば評価値が大きくなるような関数であれば、特に制限されない。【００８７】
評価値ｅi,jに対し、任意の重み係数Ｗi,j を乗じて合計した、【００８８】
【数５】
0005410088.tif 000006
【００８９】
で表される値を、分光フィルタの性能を表す性能評価値Ａとする。【００９０】
重み係数は、例えば、色覚補正フィルタの場合は、色覚異常者の区別し難い色の組み合わせ程、ウエイト（重み）を大きくすることにより、区別し難かった色の組み合わせを重視した最適Ｔ（λ）の設計が容易となる。すなわち、数式５において、特に再現精度を重視する色の組み合わせに対してはＷi,j の値を大きくすればよい。【００９１】
(ii)教師データなしの場合
教師データなしの場合には、評価値ｅi,jを、
ｅi,j＝ｆ３−１（ΔＥi,j）
で表す。ΔＥi,jは、フィルタを通して見たときの色差値である。関数ｆ3−１は、例えば色差値の二乗、色差値の絶対値、色差値と公知の色差値との相対値を用いる等、色差値ΔＥi,jが大きければ評価値ｅi,jが大きくなるような関数であれば、特に制限されない。【００９２】
教師データなしの場合の性能評価値Ａは、上記数式５で表される値とする。数式５において、色の違いを小さくしたい色の組み合わせに対してＷi,j＜０とし、色の違いをより大きくしたい組み合わせに対してはＷi,j ＞０とすればよい。【００９３】
教師データなしの場合で指定色を３色（Ｎ＝３）とした例について説明する。【００９４】
各色番号１、２、３の感度特性Ｃ1、Ｃ2、Ｃ3の感度特性差はΔＥ1,2、ΔＥ2,3、ΔＥ1,3で表される。ここでは、色番号１と２、２と３とはなるべく違う色に見えるように、フィルタを通して観察したときの各感度特性Ｃ1とＣ2、Ｃ2とＣ3との差、すなわち、ΔＥ1,2、ΔＥ2,3は大きくし、色番号３と１とはなるべく近い色に見えるように、Ｃ3とＣ1との感度特性差ΔＥ1,3を小さくするものとする。【００９５】
各感度特性をＣＩＥ１９７６に規定されるＬ*ａ*ｂ*表色系で表すと、Ｃ1＝（Ｌ1*,ａ1*,ｂ1*）、Ｃ2＝（Ｌ2*,ａ2*,ｂ2*）、Ｃ3＝（Ｌ3*,ａ3*,ｂ3*）となる。これらの感度特性を用いて、各色番号間の評価値ｅ1,2、ｅ2,3、ｅ1,3を、一般的な色差式を用いて計算すると、
ｅ1,2＝[（Ｌ2*−Ｌ1*）2＋（ａ2*−ａ1*）2＋（ｂ2*−ｂ1*）2]1/2
ｅ2,3 ＝[（Ｌ3*−Ｌ2*）2＋（ａ3*−ａ2*）2＋（ｂ3*−ｂ2*）2]1/2
ｅ1,3＝[（Ｌ3*−Ｌ1*）2＋（ａ3*−ａ1*）2＋（ｂ3*−ｂ1*）2]1/2
となる。【００９６】
また、フィルタの性能を表す性能評価値Ａは、下記式で表される。【００９７】
Ａ＝Ｗ1,2・ｅ1,2＋Ｗ2,3・ｅ2,3＋Ｗ1,3・ｅ1,3
ここで、色の違いを小さくしたい色の組み合わせに対してＷi,j＜０とし、色の違いをより大きくしたい組み合わせに対してはＷi,j ＞０とすればよいので、Ｗ1,2＝＋１、Ｗ2,3＝＋１、Ｗ1,3＝−１とすれば、
Ａ＝ｅ1,2＋ｅ2,3−ｅ1,3
となり、ｅ1,2、ｅ2,3が増大するとＡは増大し、ｅ1,3が減少するとＡは増大する。したがって、Ａが最大値をとるとき、ｅ1,2、ｅ2,3は大きく、ｅ1,3は小さくなっており、すなわち、ΔＥ1,2、ΔＥ2,3は大きく、ΔＥ1,3は小さくなっている。【００９８】
数式５で定義された性能評価値Ａは、分光フィルタの分光透過率特性を表すＴ(λ)のパラメータｐ1,ｐ2,・・・,ｐnの関数として記述される。よって、分光フィルタの透過率を設計するための制約条件０≦Ｔ(λ)≦１の下で、性能評価値Ａを最大とするパラメータｐ1,ｐ2,・・・,ｐnを求めるために、Ａを以下のような数式６で記述する。【００９９】
【数６】
0005410088.tif 000007
【０１００】
制約条件としては、０≦Ｔ(λ)≦１以外にも、例えば「平均分光透過率を５０%以上」或いは「視感度透過率を３０％以上」等の条件を付与することが可能であり、特に限定されない。【０１０１】
ここで、上記性能評価値Ａを最大にするパラメータｐ1,ｐ2,・・・,ｐnを求めるには、各ｐi（ｉ＝１〜ｎ）を微小変化させて、可及的にＡが大きくなるような各ｐｉを求める必要がある。例えば、波長幅の変化量が５ｎｍ以下、透過率の変化量が１％以下であるような微小変化を、多数回行い、可及的にＡが大きくなるような各ｐｉを求める。性能評価値Ａが最大となる分光透過率Ｔ(λ)（すなわち、最適Ｔ(λ)）を求める最適化法は、特に限定されない。例えば、パラメータを確率的最適化法の一種であるシミュレーティッドアニーリング法（以下、「ＳＡ法」という。）（参考文献(3)）を用いて求めることができる。【０１０２】
ＳＡ法は、最適化の一手法であって、アニ−リング（焼き鈍し）工程において、最適な分子配置もつように待つ冷却制御を行うために開発された焼き鈍し法を、計算機上に模擬したものである。焼き鈍し法とは、高温で溶融状態にある物質を徐々に冷却し、欠陥の少ない結晶などの低エネルギーの状態を得る方法である。【０１０３】
ＳＡ法の場合（参考文献(3)）、最適化の設定回数は、１００回〜１０万回の範囲から設計目的（要求精度）に応じて適宜選定する。また、最適化終了条件としては、「最適化による性能評価値Ａの増分がある一定変化量未満となったときに、最大値と判定する。」や「最適化による性能評価値Ａがある設定値以上となったときに、最大値と判定する。」等を挙げることができる。【０１０４】
上記透過型の分光フィルタの場合の説明において、「透過率」を「反射率」に、「Ｔ（λ）」を「Ｍ（λ）」にそれぞれ読み換えれば、反射型の分光フィルタの場合の説明となる。【０１０５】
図９は、反射型分光フィルタにおける分光反射率を求めるためのアルゴリズムを示すフローシートであり、透過型の分光フィルタにおける分光透過率を求めるためのアルゴリズムを示すフローシートである図１に対応するものである。【０１０６】
本発明に係る機能性分光フィルタによれば、色覚正常者あるいは受光器が、色覚異常者の色覚特性を体験することができるのみならず、上記設計手法のパラメータと関数を適宜設定することによって、観察者の色覚特性を目的に合わせて制御することができる。このため、本発明に係る機能性分光フィルタは、下記のような種々のツール（手段）への適用が期待できる。【０１０７】
１）色覚異常対応ツール（このツールには、主として透過型の分光フィルタを適用する。）：
色覚異常者に装着することによって、元々識別しにくかった配色に対して色の見分けを容易にすることのできるツール；色覚正常者が色覚異常者の不便さを理解でき、更に、配色を色覚異常者に配慮したものへ変更する行程でのチェック機能を果たすツール；高齢者にみられる水晶体黄変者が識別しにくい配色に対して色の見分けを容易にすることのできるツール；正常者が水晶体黄変者の不便さを理解することのできるツールなど。【０１０８】
２）化粧分野対応ツール：
肌に化粧を塗るに際して分光特性の違いにより簡易的に塗りムラをチェックするためのツール；化粧を塗った後に、拭いたり汗を流したりした際の化粧崩れをチックするためのツール；化粧を落とした後の化粧残りをチェックするためのツール；洗顔・美顔・美白などをした後の肌の状態をチェックするためのツール；肌状態及び化粧した後の肌の状態を美しく見せるためのツール等。【０１０９】
３）医療分野対応ツール：
（i）尿或いは排便に混ざっている血液を検出するに際して分光特性の違いにより簡易的に検査するためのツール、
(ii)健康度合いを評価するツール、医療用内視鏡で身体内部を検査するに際して、正常な組織と異常な組織とを色相のずれにより簡易的に区別することのできるツール、
(iii）初期段階の虫歯や歯垢の付着や磨き残しの部位を検査するに際して、色相のずれにより簡易的に区別することのできるツール、患者の歯の色に合わせて義歯を選ぶに際して選択しやすくすることのできるツール等、
(iV)目の充血やドライアイ、あるいは、異物混入の状態を検査するに際して、色相の違いを誇張したり又は色相をずらしたりすることにより簡易的に判別することのできるツール等。【０１１０】
４）農業分野対応ツール：
(i)果樹・野菜等の表面色或いは内部を透過した光で簡易的に熟度を判断することができるツール、
(ii)大気や土壌などの環境から影響を受けている植物のストレスを、表面色或いは内部を透過した光で簡易的に検知することのできるツール等、
５）セキュリティ分野対応ツール：
計器類或いはパーソナルコンピュータ等の表示部においてツールを通してのみ表示内容が認識でき、第３者には秘匿可能な機能を有するシステムを実現することのできるツール等。【０１１１】
６）工業分野対応ツール：
例えば自動車などの塗装むらを検出するに際して、簡易的に塗装むらを検出することのできるツール、食品工場などにおいて食品に混入した異物を検出・除去するに際して、異物を検出し易くするツール等
【実施例１】
【０１１２】
本実施例は、色覚異常者の色識別における不便さを理解でき、しかも実際的な業務におけるワークフローに取り込むことのできるフィルタの作成方法に係る実施例である。【０１１３】
色覚検査で一般的に用いられているＤ１５色票の１６色（Ｎ＝１６)を被観察対象色（指定色、すなわち、対象色群）とし、照明光は標準光源であるＤ６５を用いた。【０１１４】
分光フィルタのモデルは、図２に示すように可視光帯域(λ=380〜780nm)を５つの区間に分割し、それぞれの波長幅(width)と、各波長幅に対応する透過率(height)とからなる９つ(width：4＋height：5)のパラメータからなる階段関数を用いて、Ｔ（λ）＝Ｔ（ｐ1,ｐ2,・・・,ｐ9）と記述する。これらのパラメータ値は０≦Ｔ(λ)≦１を満たすような範囲に制約される。なお、ｐ1〜ｐ４は、それぞれwidth１〜４の値であり、ｐ５〜ｐ９は、それぞれheight１〜５の値である。【０１１５】
次に、色の見えを表す関数としてCIE1976Ｌ*ａ*ｂ*表色系を用い、各色をＣi=( Li*,ai*,bi*) [ｉ＝１〜１６]として表し、色覚異常者の感ずる色差を計算するために、Ｄ６５標準光源における色群に対して、色覚異常者の色の見えを公知文献[参考文献(1)]による手法を用いて求める。【０１１６】
色差の計算にはCIELAB色空間の不均一性を考慮した色差式であるΔE*94（ＣＩＥ９４)を用いた［参考文献(2)］。例えば、色差【０１１７】
【数７】
0005410088.tif 000008
【０１１８】
は、次のように定義される。【０１１９】
【数８】
0005410088.tif 000009
【０１２０】
ここで、ΔＬ*は明度差、ΔＣ*abはクロマ差、ΔＨ*abは色相角差を意味し、ＳL（明度差補正係数)＝１、ＳC（クロマ差補正係数）＝１＋0.045Ｃ*ab、ＳH（色相角補正係数）＝１＋0.015Ｃ*ab、 ｋL＝kC＝kH＝１：補助補正係数、であり、クロマは、Ｃ*ab＝(Ｃ*ab,iＣ*ab,j)1/2で表される。【０１２１】
ΔＣ*abを求めるには、まず、Ｃ*ab,i、Ｃ*ab,jを、それぞれ【０１２２】
【数９】
0005410088.tif 000010
【０１２３】
として求め、これらの差として次式により与える。【０１２４】
【数１０】
0005410088.tif 000011
【０１２５】
また、ΔＨ*abはΔＥ*abを【０１２６】
【数１１】
0005410088.tif 000012
【０１２７】
として求めた後、次式により求める。ここで、
ΔＬ*＝｜Ｌi*−Ｌj*|
Δａ*＝｜ａi*−ａj*|
Δｂ*＝｜ｂi*−ｂj*|
である。【０１２８】
【数１２】
0005410088.tif 000013
【０１２９】
色覚異常者が感じる色差は、第１色覚異常者と第２色覚異常者のそれぞれについて計算することが可能であるが、本実施例では、色覚異常者が見分け難い色の組み合わせを、正常者が理解することを目的とするため、第１色覚異常者と第２色覚異常者の色差を比較し、小さい方を色覚異常者の色差として用いることとした。すなわち、第１、第２色覚異常者の色差をそれぞれΔＥDpi,j、ΔＥDdi,jとするとき、次式によりΔＥDi,jを求めた。なお、ΔＥDpi,j＝ΔＥDdi,jのときは、当然、ΔＥDpi,j＝ΔＥDdi,j＝ΔＥDi,jである。【０１３０】
【数１３】
0005410088.tif 000014
【０１３１】
ここで、数式５を使用して、数式１３で導き出された色差ΔＥDi,jと、色覚正常者が分光特性Ｔ(λ)であるフィルタを通して見たときの色差ΔＥFi,jとが、どの程度近づいているかによって分光透過率Ｔ(λ)の評価を行う。このとき、それぞれの色の組み合わせに対する重み係数Ｗi,jは、色覚異常者の感じる色差が小さく、区別が難しい色の組み合わせほど再現精度を重視する必要があることから、【０１３２】
【数１４】
0005410088.tif 000015
【０１３３】
とした。ここで、εは計算の発散(ゼロ割)を防ぐための正の小数であり、ここでは、本手法を実装した計算機のマシンイプシロン(ε=2.2204e-16)とした。また、数式４の評価値ｅi,jを、【０１３４】
【数１５】
0005410088.tif 000016
【０１３５】
とした。よって、性能評価値Ａは、ΔＥDi,jとΔＥFi,jの相対誤差値の和により、下記数式１６のように表せる。【０１３６】
【数１６】
0005410088.tif 000017
【０１３７】
本実施例では、図１に示す計算手順（アルゴリズム）において、最適化法として、ＳＡ法を用いた。【０１３８】
なお、初期値は、ｐ1,ｐ2,ｐ3,ｐ4をいずれも８０ｎｍ、ｐ5,ｐ6,ｐ7,ｐ8,ｐ9をいずれも５０％とし、微小変化量は、波長幅の変化量を５ｎｍ、透過率の変化量を１％とした。【０１３９】
そして、最適化回数１００回毎にＡの増加分を計算し、Ａの増加率が１％未満となったときに、そのうちのＡの最も大きな値を最大値とした（最適化回数：10000回）。【０１４０】
得られた分光透過率（最適Ｔ（λ））を、図３のグラフ中、実線で示す。併せて、ＳｉＯ2とＴｉＯ2を積層した膜生成シミュレーションを行い、理論設計に近似した特性が物理的に実現可能であることを確認した。この膜生成シミュレーションで得られた特性を、図３のグラフ中、点線で示す。【０１４１】
このときの膜構成はＳｉＯ2／ＴｉＯ2交互層にて計３１層であった。その後、実際に真空蒸着装置にて成膜を行い、膜生成シミュレーションとほぼ近似の特性が得られることを確認している。なお、当該膜構成は、所要の分光透過率を得るための公知の膜設計ソフト（「Film Star」FTG Software Association社、USA）を使用して求めたもので、表１に示す。【０１４２】
【表１】
0005410088.tif 000018
【０１４３】
得られた分光透過率は、短波長域および中波長域の２つの帯域を透過させる特性となっている。これは、第１・第２色覚異常者の赤と緑との組合せに対する色の見分け能力が低いことから、フィルタモデルを規定する際に予想した結果と一致している。【０１４４】
図４は、Ｄ１５色票の全ての２色の組み合わせに対する色差を、疑似表示したものである。縦軸、横軸は色票番号（色番号）i,j を示し、色覚正常者がフィルタ無しで感じる色差ΔＥi,jを(a)、色覚異常者がフィルタ無しで感じる色差ΔＥDi,jを(b)、色覚正常者がフィルタを装着した場合に感じる色差ΔＥFi,jを(c)に示している。これらの各図(a)〜(c) における網掛け表示は、それぞれ右のダイヤグラムにおける色差（ΔＥ）に対応し、上の網掛け表示程、色の見分け能力があるということを示している。【０１４５】
ここで、(a)と(b)を比較すると、色覚異常者は、特定の色の組み合わせに対して感じる色差が、色覚正常者と比較し小さくなっていることが分かる。(c)に示した分光フィルタ装着時の色差はこの特徴をよく捉えており、設計した分光フィルタが所望の機能を有していることが分かる。【０１４６】
図５は、パネルＤ１５テストのシミュレーション結果である。実際の検査では、Ｄ６５光源下で、パイロット色(P)から順に１〜１５の色が変化するように、被験者に色を並べさせ、並べた結果を数字順に線で結んで記録する。【０１４７】
色覚正常者であれば１〜１５までの色を数字順に並べることが試験結果より確認されている。図５は、色覚正常者が分光フィルタを装着して試験を行った結果である。このとき、Protan(第１色覚異常者)、Deutan(第２色覚異常者)、Tritan(第３色覚異常者)は、それぞれ、線を結んだ際の線の角度が図中に示す方向となることが知られている（参考文献(4)）。【０１４８】
図５の試験結果では、色覚正常者が分光フィルタを装着した場合の色覚特性が、第１色覚異常者と第２色覚異常者の中間的な特性となっていることが、確認できる。
【実施例２】
【０１４９】
本実施例は、色覚異常者が装着することで、指定した色の見分けを容易にすることのできる機能性分光フィルタの作成方法に係る実施例である。【０１５０】
実施例１と同様に、Ｄ１５色票の１６色を被観察対象色（すなわち、対象色群）とし、標準光源Ｄ６５を用いて、パラメータ数１６のスプライン関数モデルを使用し、色覚異常者の色差ΔＥDi,jを求めた。【０１５１】
なお、分光フィルタの分光透過率モデルとして用いたスプライン関数モデルは、以下の数式１７で表されるものである。【０１５２】
【数１７】
0005410088.tif 000019
【０１５３】
ここで、可視光波長領域３８０〜７８０ｎｍが解析対象であり、λkは３５０〜８００ｎｍの間で３０ｎｍ間隔に設定し、ω＝６とした。【０１５４】
同様にそれぞれの色の組み合わせに対する重み係数Ｗi,j を、色覚異常者が区別し難い色の組合せ程、重みが大きくなるように、
Ｗi,j ＝１／（ΔＥDi,j＋ε）とした。【０１５５】
本実施例は教師データなしの場合であるので、評価値ｅi,jは、色覚異常者がフィルタを通して見たときの色差をΔＥFi,jとし、【０１５６】
【数１８】
0005410088.tif 000020
【０１５７】
とした。よって、性能評価値は、【０１５８】
【数１９】
0005410088.tif 000021
【０１５９】
となる。ここで、性能評価値Ａの最大値を、実施例１同様にＳＡ法を用いて求めた（最適化回数：10000回）。【０１６０】
なお、パラメータｐ1,ｐ2,・・・,ｐ1６の初期値を、いずれも０．７５とした。【０１６１】
得られた最適Ｔ（λ）を、図６のグラフ中、実線で示す。併せて、ＳｉＯ2とＴｉＯ2とを積層した膜生成シミュレーションを行い、理論設計に近似した特性が物理的に実現可能であることを確認した。この膜生成シミュレーションで得られた特性を、図６のグラフ中、点線で示す。【０１６２】
このときの膜構成はＳｉＯ2／ＴｉＯ2交互層にて計２３層であった。その後、実際に真空蒸着装置にて成膜を行い、膜生成シミュレーションとほぼ近似の特性が得られることを確認している。【０１６３】
なお、当該膜構成は、実施例１と同様にして求めたもので、表１に示す。
【実施例３】
【０１６４】
本実施例は、特定の色群の違いを強調する分光フィルタの作成方法に係る実施例である。【０１６５】
あらかじめ指定した色の組み合わせに対して色差を増加させる、あるいは減少させる機能性分光フィルタを設計する具体例として、天然植物の葉の緑と人工の葉の緑を見分けるための分光フィルタを作成する。【０１６６】
まず、天然植物の葉の緑をＡ群、人工の葉の緑をＢ群とし、Ａ群とＢ群とからそれぞれ任意の３色を選んだ計６色を被観察対象色（すなわち、対象色群）とし、それぞれの反射光の分光分布を用いて、パラメータ数２３のスプライン関数モデルを使用した。【０１６７】
本実施例は教師データなしの場合であるので、評価値ｅi,jは、フィルタを通して見たときの色差をΔＥFi,j とし、【０１６８】
【数２０】
0005410088.tif 000022
【０１６９】
とした。よって、性能評価値Ａは次式のようになる。【０１７０】
【数２１】
0005410088.tif 000023
【０１７１】
ここで、Ｗi,jは、同じ色群の色に対しては色差を小さくし、異なる色群の色に対しては色差を大きくするために、すなわち、Ａ群の色同士、Ｂ群の色同士では、それぞれ、色差を小さくし、Ａ群の色とＢ群の色とでは色差を大きくするために、【０１７２】
【数２２】
0005410088.tif 000024
【０１７３】
とした。【０１７４】
なお、分光フィルタの分光透過率モデルとして用いたスプライン関数モデルは数式２３で表されるものである。【０１７５】
【数２３】
0005410088.tif 000025
【０１７６】
ここで、380〜780nmが解析対象であり、λkは360〜800nmの間で20nm間隔で設定し、ω＝４とした。【０１７７】
そして、数式２１の性能評価値Ａが最大値になるまで、最適化を繰り返し、最適Ｔ（λ）を求めた（最適化回数:15000回）。得られた最適Ｔ（λ）を、図７のグラフ中、実線で示す。【０１７８】
なお、パラメータｐ1,ｐ2,・・・,ｐ２３の初期値は、いずれも０．７５とした。【０１７９】
併せて、ＳｉＯ2とＴｉＯ2を積層した膜生成シミュレーションを行い、理論設計に近似した特性が物理的に実現可能であることを確認した。この膜生成シミュレーションで得られた特性を、図７のグラフ中、点線で示す。このときの膜構成はＳｉＯ2／ＴｉＯ2交互層にて計２６層であった。【０１８０】
なお、当該膜構成は、実施例１と同様にして求めたもので、表２に示す。【０１８１】
【表２】
0005410088.tif 000026
【実施例４】
【０１８２】
本実施例は、特定の色群の違いを強調する分光フィルタの作成方法、具体的には、化粧品を肌に塗った際に、肌全面に均一に塗布できているかを見分けるための分光フィルタの作成方法に係る実施例である。【０１８３】
まず、顔の素肌の色をＡ群、顔に市販の化粧品（KOSE社製エスプリーク  ビューティフルフィニッシュOC-410）を塗った色をＢ群とし、標準光源Ｄ６５を用いて、素肌の場合と上記化粧品を塗った場合とで、それぞれ、任意の顔の部位３箇所の測色を行い、計６色を被観察対象色（すなわち、対象色群）とした。そして、それぞれの反射光の分光分布を用いて、パラメータ数１６のスプライン関数モデルを使用した。【０１８４】
ここで、評価値ｅi,jは、実施例３と同様に、フィルタを通して見たときの色差をΔＥFi,jとし、【０１８５】
【数２４】
0005410088.tif 000027
【０１８６】
とした。よって、性能評価値Ａは、【０１８７】
【数２５】
0005410088.tif 000028
【０１８８】
となる。【０１８９】
ここで、重み係数Ｗi,jは、同じ色群の色に対しては色差を小さくし、異なる色群の色に対しては色差を大きくするため、すなわち、Ａ群の色同士、Ｂ群の色同士では、それぞれ、色差を小さくし、Ａ群の色とＢ群の色とでは色差を大きくするために、【０１９０】
【数２６】
0005410088.tif 000029
【０１９１】
とした。【０１９２】
なお、分光フィルタの分光透過率モデルとして用いたスプライン関数モデルは実施例２のときと同式で表され、数式２７で表されるものである。【０１９３】
【数２７】
0005410088.tif 000030
【０１９４】
ここで、３８０〜７８０ｎｍが解析対象であり、λkは３５０〜８００ｎｍの間で３０ｎｍ間隔に設定し、ω＝６とした。そして、数式２５の性能評価値Ａが最大値になるまで、最適化を繰り返し、最適Ｔ（λ）を求めた（最適化回数：100000回）。得られた最適Ｔ（λ）を、図８のグラフ中、実線で示す。【０１９５】
なお、パラメータｐ1、ｐ2、・・・、ｐ1６の初期値は、いずれも０．７５とした。併せて、ＳｉＯ2とＴｉＯ2を積層し、膜生成シミュレーションを行い、理論設計に近似した特性が物理的に実現可能であることを確認した。この膜生成シミュレーションで得られた特性を、図８のグラフ中、点線で示す。このときの膜構成は、ＳｉＯ2／ＴｉＯ2交互層にて計１９層であった。なお、当該膜構成は、実施例１と同様にして求めたもので、表３に示す。【０１９６】
【表３】
0005410088.tif 000031
【０１９７】
また、表４に、フィルタ無しの場合とフィルタを通して見た場合の各々について、顔の素肌と化粧をした後の色差を、数式８を用いて計算した結果を示す。【０１９８】
表４に示す結果から、フィルタ有りの場合の色差が、フィルタ無しの場合の色差に比較して、約４０％大きくなっており、フィルタを通して見ると化粧ムラが見分けやすくなっていることが分かる。【０１９９】
【表４】
0005410088.tif 000032
【実施例５】
【０２００】
本実施例は、特定の色群の違いを強調する分光反射ミラー（反射型の分光フィルタ）の作成方法、具体的には、化粧品を肌に塗った際に、ミラーの反射光により、化粧品が肌全面に均一に塗布できているか、或いは、化粧を塗った後の化粧が取れているかを見分けるための分光反射ミラーの作成方法に係る実施例である。【０２０１】
図１０（Ａ）に示す不透明基材１０の上に、表５に示すＳｉＯ2／ＴｉＯ2交互層計１９層の膜構成の多層膜１２を形成したものである。【０２０２】
多層膜の設計（計算方法）は、実施例４において、該多層膜の分光透過率Ｔ（λ）を分光反射率Ｍ（λ）に置き換え、フィルタを通して見たときの色差ΔＥFi,jを、反射ミラーを通して見たときの色差ΔＥMi,jに置き換えた以外は、全て実施例４と同様にして行って最適Ｍ（λ）を得た。こうして得たＭ（λ）に基づき、膜設計ソフト「The Essential Macleod」（Thin Film Center Inc社、USA）を使用して所要の分光反射率を示す多層膜（分光フィルタ）の膜構成を求めた（表５参照）。【０２０３】
得られたＭ（λ）を、図１１のグラフ中、実線で示す。併せて、膜生成シミュレーションを行い、理論設計に近似した特性が物理的に実現可能であることを確認した。この膜生成シミュレーションで得られた特性を、図１１のグラフ中、点線で示す。【０２０４】
不透明基材１０は、多層膜１２を表面に形成したガラス基材１４の、多層膜１２側とは反対の面（すなわち、裏面）１４ａを、入射光が乱反射するように擦りガラス状に加工した後、黒色系光吸収剤（「アクリルラッカー」大信ペイント（株）社製）を塗布し、フィルタ裏面の反射光及び裏面からの透過光を遮断する光遮断膜１６を形成したものである。【０２０５】
【表５】
0005410088.tif 000033
【０２０６】
なお、上記実施例において、分光反射ミラーは、図１０（Ｂ）に示す如く、ガラス基材１４の裏面側に光遮断膜１６を形成するとともに、該ガラス基材１４と光遮断膜１６との間に多層膜１２を形成したり、更には、図１０（Ａ）において多層膜１２の表面に保護クリア塗膜を形成したりする構成とすることもできる。【０２０７】
また、以下に、本明細書で引用した参考文献一覧を示す。【０２０８】
(1)H.Brettel , F.Vienot , J.D.Mollon , Computerized simulation of color 
appearance for dichromats , J.Opt.Soc.Am.A , Vol.1 , No.10 , pp.2647-2655 , 
1997.
(2)CIE Publication 116-1995 , Industrial colour-difference evaluation 
(Technical Report) , CIE Central Bureau , Vienna , 1995.
(3)S.Kirtpatrick , C.D.Jr.Gelatt , M.P.Vecchi , Optimization by simulated 
annealing , Science , Vol.220 , pp.671-680 , 1983
(4)市川宏 , 三島濟一 , 塚原勇 , 植村恭夫 , 眼鏡MOOK16 色覚異常 , 金原出版 , pp.139-147 , 1982
【図１】
0005410088.tif 000036
【図２】
0005410088.tif 000037
【図３】
0005410088.tif 000038
【図４】
0005410088.tif 000039
【図５】
0005410088.tif 000040
【図６】
0005410088.tif 000041
【図７】
0005410088.tif 000042
【図８】
0005410088.tif 000043
【図９】
0005410088.tif 000044
【図１０】
0005410088.tif 000045
【図１１】
0005410088.tif 000046